(57)【要約】【課題】小型化および省電力化を図る上で有利な光学素子および浮上型光ヘッドを提供する。【解決手段】光学素子１０は、第１光学素子１２と、レンズ１４と、液晶装置１５と、第２光学素子１８とを備えている。液晶装置１５は、第１電極２６０２と第２電極２６０４に駆動電圧が印加されることにより、第２面１２０４および第３面１８０２の面に沿って液晶層１６を構成する液晶素子の姿勢の変化に分布を持たせるとともに、前記電圧を変化させることによってレンズ１４の焦点距離の調節が可能となるように構成されている。【選択図】        図１
2006004470.tif 000002
【特許請求の範囲】
【請求項１】
第１屈折率を有する第１光学材料で形成された第１光学素子と、
前記第１光学素子に形成された凹部に前記第１屈折率とは異なる第２屈折率を有する第２光学材料を充填することで構成されたレンズとを有する光学素子であって、
前記レンズの光軸が通る前記第１光学素子の箇所または前記レンズの箇所に印加される駆動電圧により前記レンズの焦点距離の調節を可能とした液晶装置が設けられ、
前記液晶装置を前記第１光学素子の箇所または前記レンズの箇所との間で挟む第２光学素子が設けられている、
ことを特徴とする光学素子。
【請求項２】
前記液晶装置は、互いに対向し前記駆動電圧が印加される第１電極と第２電極と、これら第１、第２電極に挟まれた液晶層とを有し、前記液晶装置は前記レンズの光軸が通る第１光学素子の箇所に設けられ、前記第１電極は前記第１光学素子が前記第２光学素子に臨む面に形成され、前記第２電極は前記第２光学素子が前記第１光学素子に臨む面に形成されていることを特徴とする請求項１記載の光学素子。
【請求項３】
前記液晶装置は、互いに対向し前記駆動電圧が印加される第１電極と第２電極と、これら第１、第２電極に挟まれた液晶層とを有し、前記液晶装置は前記レンズの光軸が通る第１光学素子の箇所に設けられ、前記第１電極は前記第１光学素子が前記第２光学素子に臨む面に形成され、前記第２光学素子は、前記液晶層に面する内側基板と、前記液晶層と反対側に設けられた外側基板とが重ね合わされて構成され、前記第２電極は前記内側基板と前記外側基板の間に形成されていることを特徴とする請求項１記載の光学素子。
【請求項４】
前記レンズの光軸が通る前記レンズと前記液晶装置の間の箇所に１／４波長板が設けられていることを特徴とする請求項１記載の光学素子。
【請求項５】
前記液晶装置は、互いに対向し前記駆動電圧が印加される第１電極と第２電極と、これら第１、第２電極に挟まれた液晶層とを有し、前記レンズの光軸が通る第１光学素子の箇所に１／４波長板が設けられ、前記液晶装置は前記１／４波長板を介して前記第１光学素子の箇所と前記第２光学素子との間で挟まれ、前記第１電極は前記１／４波長板が前記第２光学素子に臨む面に設けられ、前記第２電極は前記第２光学素子が前記１／４波長板に臨む面に設けられていることを特徴とする請求項１記載の光学素子。
【請求項６】
第１屈折率を有する第１光学材料で形成された第１光学素子と、
前記第１光学素子に形成された凹部に前記第１屈折率とは異なる第２屈折率を有する第２光学材料を充填することで構成されたレンズとを有する光学素子と、
前記第１光学素子に設けられた浮上用レールとを備えた浮上型光ヘッドであって、
前記光学素子は、
前記レンズの光軸が通る前記第１光学素子の箇所または前記レンズの箇所に印加される駆動電圧により前記レンズの焦点距離の調節を可能とした液晶装置が設けられ、
前記液晶装置を前記第１光学素子の箇所または前記レンズの箇所との間で挟む第２光学素子が設けられている、
ことを特徴とする浮上型光ヘッド。
【請求項７】
前記液晶装置は、互いに対向し前記駆動電圧が印加される第１電極と第２電極と、これら第１、第２電極に挟まれた液晶層とを有し、前記液晶装置は前記レンズの光軸が通る第１光学素子の箇所に設けられ、前記第１電極は前記第１光学素子が前記第２光学素子に臨む面に形成され、前記第２電極は前記第２光学素子が前記第１光学素子に臨む面に形成されていることを特徴とする請求項６記載の浮上型光ヘッド。
【請求項８】
前記液晶装置は、互いに対向し前記駆動電圧が印加される第１電極と第２電極と、これら第１、第２電極に挟まれた液晶層とを有し、前記液晶装置は前記レンズの光軸が通る第１光学素子の箇所に設けられ、前記第１電極は前記第１光学素子が前記第２光学素子に臨む面に形成され、前記第２光学素子は、前記液晶層に面する内側基板と、前記液晶層と反対側に設けられた外側基板とが重ね合わされて構成され、前記第２電極は前記内側基板と前記外側基板の間に形成されていることを特徴とする請求項６記載の浮上型光ヘッド。
【請求項９】
前記レンズの光軸が通る前記レンズと前記液晶装置の間の箇所に１／４波長板が設けられていることを特徴とする請求項６記載の浮上型光ヘッド。
【請求項１０】
前記液晶装置は、互いに対向し前記駆動電圧が印加される第１電極と第２電極と、これら第１、第２電極に挟まれた液晶層とを有し、前記レンズの光軸が通る第１光学素子の箇所に１／４波長板が設けられ、前記液晶装置は前記１／４波長板を介して前記第１光学素子の箇所と前記第２光学素子との間で挟まれ、前記第１電極は前記１／４波長板が前記第２光学素子に臨む面に設けられ、前記第２電極は前記第２光学素子が前記１／４波長板に臨む面に設けられていることを特徴とする請求項６記載の浮上型光ヘッド。
【発明の詳細な説明】
【技術分野】
【０００１】
本発明は光学素子および浮上型光ヘッドに関する。
【背景技術】
【０００２】
光ディスクの回転により生じる空気流を利用して光ディスク上に光ヘッドを浮上させるいわゆる浮上スライダータイプの光ヘッド（以下浮上型光ヘッドという）を有する光ピックアップが提案されている。
このような光ピックアップとして、図７に示すように、第１屈折率を有する第１光学材料で形成された第１光学素子１と、第１光学素子１に形成された凹部２に前記第１屈折率とは異なる第２屈折率を有する第２光学材料を充填することで構成された対物レンズ３とを有する光学素子４を用い、光源５から出射された光ビームを光学素子４を用いて光ディスク５０に導くものが提案されている（例えば特許文献１参照）。
このような光ピックアップにおいては、対物レンズ３の光軸上に配置されたコリメータレンズ５を光軸方向に動かすことによって対物レンズ３の焦点距離を制御していた。
【特許文献１】特開２００２-２５１７７０号公報
【発明の開示】
【発明が解決しようとする課題】
【０００３】
このような光学素子４を用いた従来の光ピックアップでは、コリメータレンズ５が可動できるスペースを設ける必要があり、光ピックアップの小型化を図る上で不利があった。
また、焦点距離制御の際にコリメータレンズ５をアクチュエータで動かすため、アクチュエータによる電力消費が大きく、また、コリメータレンズ５の移動方向によっては、対物レンズ３への入射光が発散光となり対物レンズ３によって光ビームが蹴られてしまい光ディスク面に到達する光ビームパワーが削られて光の利用効率が低下してしまうことから光ビームを出射する光源の出射パワーを大きくする必要があり省電力化を図る上で不利があった。
本発明はこのような事情に鑑みなされたものであり、その目的は、小型化および省電力化を図る上で有利な光学素子および浮上型光ヘッドを提供することにある。
【課題を解決するための手段】
【０００４】
上述の目的を達成するため、本発明は、第１屈折率を有する第１光学材料で形成された第１光学素子と、前記第１光学素子に形成された凹部に前記第１屈折率とは異なる第２屈折率を有する第２光学材料を充填することで構成されたレンズとを有する光学素子であって、前記レンズの光軸が通る前記第１光学素子の箇所または前記レンズの箇所に印加される駆動電圧により前記レンズの焦点距離の調節を可能とした液晶装置が設けられ、前記液晶装置を前記第１光学素子の箇所または前記レンズの箇所との間で挟む第２光学素子が設けられていることを特徴とする。
また、本発明は、第１屈折率を有する第１光学材料で形成された第１光学素子と、前記第１光学素子に形成された凹部に前記第１屈折率とは異なる第２屈折率を有する第２光学材料を充填することで構成されたレンズとを有する光学素子と、前記第１光学素子に設けられた浮上用レールとを備えた浮上型光ヘッドであって、前記光学素子は、前記レンズの光軸が通る前記第１光学素子の箇所または前記レンズの箇所に印加される駆動電圧により前記レンズの焦点距離の調節を可能とした液晶装置が設けられ、前記液晶装置を前記第１光学素子の箇所または前記レンズの箇所との間で挟む第２光学素子が設けられていることを特徴とする。
【発明の効果】
【０００５】
そのため、本発明によれば、レンズの光軸が通る第１光学素子の箇所またはレンズの箇所に印加される駆動電圧によりレンズの焦点距離の調節を可能とした液晶装置が設けられ、液晶装置を第１光学素子の箇所またはレンズの箇所との間で挟む第２光学素子が設けられているので液晶装置により前記レンズの焦点距離の調整を行うことができる。
したがって、このような光学素子を用いて光ピックアップを構成し第１光学素子に形成されたレンズを光ビームを光ディスクの記録面に導く対物レンズとして使用した場合、従来のように光学素子の他にコリメータレンズを設けこのコリメータレンズをその光軸方向に動かす必要がない。
そのため、コリメータレンズが可動できるスペースを設ける必要がなく、光ピックアップの小型化を図る上で有利となる。
また、コリメータレンズを動かすアクチュエータによる電力消費に比較して液晶と内を駆動するために必要な電力消費は僅かであり、また、コリメータレンズの位置による光ビームのけられに対応して光源の出射パワーを大きくする必要がないため、省電力化を図る上で有利となる。
また、コリメータレンズを動かす可動部がないことにより振動等の外乱に強くなり特に携帯用の光ディスクドライブに適している。
【発明を実施するための最良の形態】
【０００６】
小型化および省電力化を図るという目的を、光学素子のレンズの光軸が通る第１光学素子の箇所またはレンズの箇所に液晶層を設け、液晶層を第２光学素子により第１光学素子の箇所または前記レンズの箇所との間で封入することによって実現した。
【実施例１】
【０００７】
次に本発明の実施例１について図面を参照して説明する。
図１は実施例１の光学素子の構成を示す説明図である。
図１に示すように、光学素子１０は、第１光学素子１２と、レンズ１４と、液晶装置１５と、第２光学素子１８とを備えている。
第１光学素子１２は、第１屈折率Ｎ１を有する第１光学材料２０で形成され、本実施例では透明な光学ガラスで形成され、均等な厚さを有する矩形板状を呈している。
第１光学素子１２の厚さ方向の両側には平坦な平面で構成された第１面１２０２と第２面１２０４が互いに平行に設けられ、第１面１２０２の中央には第１面１２０２に対して回転対称あるいはほぼ回転対称の凹部１２０６が設けられている。
凹部１２０６には、第１屈折率Ｎ１とは異なる第２屈折率Ｎ２を有する第２光学材料２２が充填されている。第２光学材料２２は、本実施例では酸化タンタルや酸化ニオブあるいは酸化チタンなどのように前記光学ガラスよりも高い屈折率を有する透明材料で構成されている。
レンズ１４は、凹部１２０６に充填された第２光学材料２２によって構成され、レンズ１４の第１面１２０２に臨む面は第１面１２０２とほぼ同一面となる平面をなしている。
【０００８】
第２光学素子１８は、第１光学素子１２と同形同大の輪郭を有する矩形板状を呈し、本実施例では第１光学素子１２と同じ材質の光学ガラスで形成されている。
第２光学素子１８の厚さ方向の両側には平坦な平面で構成された第３面１８０２と第２面１８０４が互いに平行に設けられている。
第２光学素子１８は、第３面１８０２が第１光学素子１２の第２面１２０４と間隔をおいて平行し、かつ、第１光学素子１２と第２光学素子１８の輪郭が合致するように設けられている。
【０００９】
液晶装置１５はレンズ１４の光軸が通る第１光学素子１２の箇所に設けられ、第１光学素子１２と第２光学素子１８との間に挟まれている。
液晶装置１５は、第１電極２６０２と、第２電極２６０４と、これら第１、第２電極２６０２，２６０４に挟まれた液晶層１６とを有している。
本実施例では、第１電極２６０２は第１光学素子１２の第２面１２０４に形成され、第２電極２６０４は第２光学素子１８の第３面１８０２に形成されている。
これら第１、第２電極２６０２，２６０４は、ＩＴＯ膜、酸化錫、酸化インジューム膜、あるいは金属膜などで形成された透明電極として構成されている。
液晶層１６は、本実施例ではネマティック型液晶によって構成され、第１光学素子１２の第２面１２０４と第２光学素子１８の第３面１８０２との間に封入され、第１光学素子１２および第２光学素子１８の外周部はシール材２４で封止されている。
したがって、液晶層１６は第２光学素子１８により第１光学素子１２の箇所との間で第１電極２６０２と第２電極２６０４との間に封入されている。
【００１０】
液晶装置１５についてさらに説明する。
本実施例では、液晶装置１５は、第１電極２６０２と第２電極２６０４に駆動電圧が印加されることにより第２面１２０４および第３面１８０２の面に沿って液晶層１６を構成する液晶素子の姿勢の変化に分布を持たせるとともに、前記電圧を変化させることによってレンズ１４の焦点距離の調節が可能となるように構成されている。
第１電極２６０２は、第２面１２０４に沿って延在する矩形状の平面電極として構成されている。
第２電極２６０４は、図２に示すように、レンズ１４の光軸を中心とする半径の異なる同心円上に延在する複数の円環状の第１電極パターン２８と、前記円の直径に沿って直線状に延在しこれら複数の第１電極パターン２８と電気的に接続される第２電極パターン３０とを有している。
また、各第１電極パターン２８は、前記円の中心を通り第２電極パターン３０の延在方向と直交する方向に延在する仮想線と交差する部分のパターンが除去されており、同一半径上に延在する第１電極パターン２８は前記パターンが除去された部分で２つに分離されている。
また、各第１電極パターン２８は、抵抗が低い材料（例えばＩＴＯ膜）で形成され、第２電極パターン３０は抵抗の大きい材料（例えば金属）で形成されている。
第２電極パターン３０の両端３００２，３００４に電圧を印加すると、第２電極パターン３０が抵抗を持つことから第２電極パターン３０の長手方向に沿って電圧が徐々に低下する（上昇する）電圧分布が生じる。
これにより、第２電極パターン３０につながっている各第１電極パターン２８にも、第１電極パターン２８が並ぶ順番にしたがって徐々に電圧が低下（上昇）する電圧分布が生じることになる。これにより、液晶層１６に第２面１２０４および第３面１８０２の面に沿って電圧分布を持たせることができ、この電圧分布を、液晶層１６を構成する液晶素子の姿勢の変化の分布によりレンズを形成するように設定することで液晶層１６をレンズとして機能させることができる。
また、第２電極パターン３０の両端３００２，３００４に印加する電圧を変化させることによって液晶装置１５によってレンズ１４の焦点距離を調整することができる。
【００１１】
本実施例によれば、レンズ１４の光軸が通る第１光学素子１２の箇所に印加される駆動電圧により印加される駆動電圧によりレンズの焦点距離の調節を可能とした液晶装置１５が設けられ、液晶装置１５を第２光学素子１８により第１光学素子１２の箇所との間で挟んだので、液晶装置１５によってレンズ１４の焦点距離を調整することができる。
したがって、このような光学素子１０を用いて光ピックアップを構成しレンズ１４を光ビームを光ディスクの記録面に導く対物レンズとして使用した場合、従来のように光学素子１０の他にコリメータレンズを設けこのコリメータレンズをその光軸方向に動かす必要がない。
そのため、コリメータレンズが可動できるスペースを設ける必要がなく、光ピックアップの小型化を図る上で有利となる。
また、コリメータレンズを動かすアクチュエータによる電力消費に比較して液晶装置１５を駆動するために必要な電力消費は僅かであり、また、コリメータレンズの位置による光ビームのけられに対応して光源の出射パワーを大きくする必要がないため、省電力化を図る上で有利となる。
また、コリメータレンズを動かす可動部がないことにより振動等の外乱に強くなり特に携帯用の光ディスクドライブに適している。
また、液晶装置１５による焦点距離の調整範囲は、コリメータレンズを動かす場合に比較して小さいものの、例えば浮上ヘッド等に装着されるような光ヘッドで必要とされる焦点距離の調整範囲を実現するためには十分である。
【実施例２】
【００１２】
次に本発明の実施例２について図面を参照して説明する。
実施例２が実施例１と異なるのは、第２電極２６０４の形状である。
図３は実施例２の第２電極２６０４の形状を示す説明図である。
図３に示すように、第２電極２６０４は、矩形状の電極パターン３２を有し、電極パターン３２にはレンズ１４の光軸を中心とする円形の孔３４が形成されている。
このような電極パターン３２からなる第２電極２６０４を設けた場合、液晶層１６において電極パターン３２に沿って不均一な電界を生じて電圧分布が変化し、液晶層１６をレンズとして機能させることができる。
実施例２では、円形の孔３４の直径と第１電極２６０２と第２電極２６０４に印加する電圧との双方が液晶層１６における屈折率の分布がレンズとして機能するために最適な条件となる範囲では、液晶層１６によって構成されるレンズも特に優れたレンズ特性を示すので、円形の孔３４の直径と第１電極２６０２と第２電極２６０４に印加する電圧との双方が前記範囲となるように設定することが望ましい。
このような実施例２においても実施例１と同様の作用効果を奏することはもちろんである。
【実施例３】
【００１３】
次に本発明の実施例３について図面を参照して説明する。
実施例３が実施例１と異なるのは、第１電極と第２電極との距離をこれら電極が広がる面に沿って変化させることで液晶層をレンズとして機能させた点である。
図４は実施例３の光学素子１０′の構成を示す説明図であり、以下実施例１と同様の部分には同一の符号を付して説明する。
図４に示すように、光学素子１０′の第２光学素子１８は、液晶層１６に面する内側基板１８２０と、液晶層１６と反対側に設けられた外側基板１８２２とが重ね合わされて構成されている。
内側基板１８２０は、第２光学素子１８の第３面１８０２を構成する面と、レンズ１４の光軸を中心とする回転対称となる凸面１８２４とを有している。
外側基板１８２２は、第２光学素子１８の第４面１８０４を構成する面と、レンズ１４の光軸を中心とする回転対称な凹面１８２６とを有し、凸面１８２４と凹面１８２６とが合わされるように構成されている。
第２電極２６０４は内側基板１８２０と外側基板１８２２の間、すなわち、凸面１８２４と凹面１８２６の間に形成されている。
したがって、第２電極２６０４は、凸面１８２４と凹面１８２６に沿って延在することになり、第１電極２６０２と第２電極２６０４との距離は、レンズ１４の光軸が通る箇所の距離が最大となり、レンズ１４の光軸が通る箇所の外周に至るに従って第１電極２６０２と第２電極２６０４との距離が次第に連続的に短くなる。
このような構成によれば、第１電極２６０２と第２電極２６０４間の距離を各電極が広がる面に沿って次第に連続的に変化させることにより、液晶層１６にかかる電界の分布に連続的な変化をもたせることができ、液晶層１６をレンズとして機能させることができる。
このような実施例３においても実施例１と同様の作用効果を奏することはもちろんである。
【実施例４】
【００１４】
ところで、光ディスクの記録および／または再生を行う光ピックアップにおいては、半導体レーザ光の利用効率を高めるために偏光分離光学系を利用することが多い。
このため光ディスクへの入射光は円偏光であることが望ましい場合がある。半導体レーザの出力光は直線偏光であるため、直線偏光を円偏光に変換するために１／４波長板を用いることが多い。
一方、液晶層をレンズとして機能させるためには、光ビームが直線偏光である必要がある。このため、偏光分離光学系を利用する場合には、１／４波長板は液晶層と光ディスクの記録面の間に挿入しなければならないという条件がある。
このような条件を満足した光学素子を示す実施例４について図面を参照して説明する。
実施例４が実施例１と異なるのは液晶装置１５が１／４波長板を介して第１光学素子１２に箇所と第２光学素子１８との間に挟まれている点である。
図５は実施例４の光学素子１０″の構成を示す説明図である。
図５に示すように、１／４波長板３６は第１、第２光学素子１２，１８と同形同大の輪郭を有する矩形板状を呈し、レンズ１４の光軸が通る第１光学素子１２の箇所に設けられ、液晶装置１５は、１／４波長板３６を介して第１光学素子１２の箇所と第２光学素子１８との間で挟まれている。
１／４波長板３６の厚さ方向の両側には平坦な平面で構成された第５面３６０２と第６面３６０４が互いに平行に設けられ、第５面３６０２が第１光学素子１２の第２面１２０４に重ね合わせて接合されている。
第１電極２６０２は１／４波長板３６が第２光学素子１８に臨む第６面３６０４に設けられ、第２電極２６０４は第２光学素子１８が１／４波長板３６に臨む第３面１８０２に設けられている。
液晶層１６は、１／４波長板３６の第６面３６０４と第２光学素子１８の第３面１８０２との間に封入され、第１光学素子１２、第２光学素子１８、１／４波長板３６の外周部はシール材２４で封止されている。
したがって、液晶層１６は、第２光学素子１８により１／４波長板３６を介して第１光学素子１２の箇所との間で第１電極２６０２と第２電極２６０４との間に封入されている。
そして、本実施例においても実施例１と同様に、第１電極２６０２と第２電極２６０４に駆動電圧が印加されることにより第２面１２０４および第３面１８０２の面に沿って液晶層１６を構成する液晶素子の姿勢の変化に分布を持たせるとともに、前記電圧を変化させることによってレンズ１４の焦点距離の調節が可能となるように構成されている。
このような構成によれば、直線偏向に偏光した光ビームＬが第２光学素子１８の第４面１８０４から入射されると、この光ビームＬは、第２光学素子１８の第３面１８０２から液晶層１６に至りこの液晶層１６によって実現されるレンズにより所望の焦点距離に選ばれた光ビームＬが１／４波長板３６に入射され円偏光に変換された後、レンズ１４によって集光され光ディスク５０の記録面上に焦点を結ぶ。
光ディスク５０から反射した信号光としての光ビームＬは円偏光の状態で、再びレンズ１４、第１光学素子１２を介して１／４波長板３６を通過することによって直線偏光に変換される。
この１／４波長板３６を通過した直線偏光の光ビームＬの偏光方向は、初めに第２光学素子１８の第４面１８０４に入射された直線偏光の光ビームＬとは偏光方向が９０度回転している。したがって、１／４波長板３６を通過して液晶層１６に入射する光ビームＬは液晶層１６にとって常光線となるため、この常光線としての光ビームＬに対して、液晶層１６はこの液晶層１６への印加電圧値にかかわらず一定の屈折率を有するものとして機能する。
したがって、光ディスク５０から反射した信号光としての光ビームＬ（戻り光）は、液晶層１６に印加される電圧によって影響を受けない戻り光となり、図示しない信号検出系に導かれ電気信号に変換される。
このような構成によれば、偏光分離光学系を利用した光ピックアップに光学素子１０″を適用するとともに、実施例１と同様の作用効果を奏することができる。
また、本実施例では、第１光学素子１２の第１、第２面１２０２，１２０４および第２光学素子１８の第１、第２面１８０２，１８０４が平坦な平面で構成されているため、第１光学素子１２および第２光学素子１８に対する１／４波長板３６と液晶層１６の配置、位置決め、接合が極めて容易に行え、製造コストを低減する上で有利となる。
【実施例５】
【００１５】
次に本発明の実施例５について図面を参照して説明する。
実施例５は実施例４の光学素子に浮上用レールを一体的に形成することで浮上型光ヘッドを構成したものである。
図６は実施例５の浮上型光ヘッドの構成を示す説明図である。
図６に示すように、浮上型光ヘッド７０は、実施例４の光学素子１０″の第１光学素子１２に浮上スライダ８０が取着されることで構成されている。
浮上スライダ８０は、透明な光学部材で構成され、第１、第２光学素子１２，１８と同形同大の輪郭を有する矩形板状を呈し、厚さ方向の一側には平坦な平面で構成された第７面８００２が設けられ、厚さ方向の他側には第７面８００２と対向する第８面８００４が設けられている。
第７面８００２は、第２光学素子１８の第１面１２０２と重ね合わされて接合されている。
第８面８００４は、一対の辺部に沿って互いに平行して延在する２本の浮上用レール８００６と、これら２本の浮上用レール８００６で挟まれた溝部８００８とが設けられている。
したがって、第１光学素子１２に２本の浮上用レール８００６が一体的に形成されていることになる。
このような浮上型光ヘッド７０によれば、実施例４と同様の作用効果を奏することができる。
また、本実施例では、第１光学素子１２の第１面１２０２、浮上スライダ８０の第７面８００２が平坦な平面で構成されているため、第１光学素子１２に対する浮上スライダ８０の配置、位置決め、接合が極めて容易に行え、製造コストを低減する上で有利となる。
【００１６】
なお、上述した各実施例では、第１、第２光学素子１２，１８が光学ガラスである場合について説明したが第１、第２光学素子１２，１８は透明な合成樹脂であってもよい。
また、各実施例では、液晶装置１５を第２光学素子１８の箇所と第１光学素子１２の第２面１２０４との間で挟んだ場合について説明したが、第１光学素子１２の第１面１２０２側に第２光学素子１８を設け、液晶装置１５を第２光学素子１８の箇所とレンズ１４の箇所との間で封入してもよい。
また、実施例１〜実施例３の光学素子に対して実施例５と同様に浮上用レールを一体的に形成することで浮上型光ヘッドを構成できることは無論である。
【図面の簡単な説明】
【００１７】
【図１】実施例１の光学素子の構成を示す説明図である。
【図２】実施例１の第２電極２６０４の構成を示す説明図である。
【図３】実施例２の第２電極２６０４の形状を示す説明図である。
【図４】実施例３の光学素子１０′の構成を示す説明図である。
【図５】実施例４の光学素子１０″の構成を示す説明図である。
【図６】実施例５の浮上型光ヘッドの構成を示す説明図である。
【図７】従来の光ピックアップの構成を示す説明図である。
【符号の説明】
【００１８】
１０、１０′、１０″……光学素子、１２……第１光学素子、１４……レンズ、１５……液晶装置、１６……液晶層、１８……第２光学素子、２０……第１光学材料、２２……第２光学材料。
【図１】
2006004470.tif 000003
【図２】
2006004470.tif 000004
【図３】
2006004470.tif 000005
【図４】
2006004470.tif 000006
【図５】
2006004470.tif 000007
【図６】
2006004470.tif 000008
【図７】
2006004470.tif 000009